(57)【要約】【課題】デジタル回線を利用した警報システムにおいて、アダプタ装置に特別な回路構成を設けることなく、任意のタイミングでアナログ回線端末装置を制御できるようにすることである。【解決手段】  アダプタ装置１をセンタ装置と通信可能に接続して（Ｓ１０１）、センタ装置から受信した制御データをアダプタ装置１のＲＡＭに保存すると（Ｓ１０２）、アナログ回線端末装置への局給電を一定時間停止する（Ｓ１０３，Ｓ１０４、ＮＯ）。一定時間経過後（Ｓ１０４、ＹＥＳ）局給電を再開すると（Ｓ１０５）、アダプタ装置１はアナログ回線端末装置からの故障を通知するための故障通知を待ち（Ｓ１０６，Ｓ１０９）、故障通知を受信したときに（Ｓ１０６、ＹＥＳ）、アナログ回線端末装置へ制御データを送信する（Ｓ１０８）。【選択図】  図２
2008252191.tif 000002
【特許請求の範囲】
【請求項１】
局給電の受電機能を備えたアナログ回線端末装置をデジタル回線を介してセンタ装置に接続するためのアダプタ装置であって、
デジタルデータとアナログデータを相互変換する手段と、前記端末装置に対する局給電を行う手段と、前記局給電の断・続制御を行う制御手段と、を有し、前記端末装置への前記局給電の断続制御により当該端末装置を起動させることを特徴とするアダプタ装置。
【請求項２】
請求項１に記載されたアダプタ装置において、
センタ装置から受信したデータを格納するメモリ手段と、前記端末装置の起動通知を受信したとき、当該端末装置に対して前記データを送信することを特徴とするアダプタ装置。
【請求項３】
請求項１又は２に記載されたアダプタ装置において、
前記起動通知は、前記端末装置からの回線復帰通知であり、かつ、前記局給電の再開後所定時間内に前記端末装置からの回線復帰通知を受信しないとき、センタ装置に当該端末装置の起動不能を通知する手段を有することを特徴とするアダプタ装置。
【発明の詳細な説明】
【技術分野】
【０００１】
本発明は任意のタイミングでアナログ回線端末装置を制御できるアダプタ装置に関する。
【背景技術】
【０００２】
近年、住宅やビルなどにおいて、不審者の侵入や火災などの異常が発生したときに、その異常をセンサなどで感知して、自動的に警備会社のコンピュータへ異常が発生した旨を通報する警報システムが普及している。
【０００３】
図５は電話回線網を利用した警報システムを示す概略図である。
この警報システムは、住宅やビルなどに設置される、センサ等で感知した情報を警備会社のコンピュータへ送信する警報装置であるアナログ回線端末装置１０２と、アナログ回線端末装置１０２からの情報を受信する警備会社に設置されるコンピュータであるセンタ装置１０１から構成され、このアナログ回線端末装置１０２とセンタ装置１０１とは、アナログの電話回線網１０３を介して通信可能に接続されている。
【０００４】
センタ装置１０１は、この電話回線網１０３を介してアナログ回線端末装置１０２へ制御データを送信することで、アナログ回線端末装置１０２が管理している、例えば建物のドアの施錠の遠隔操作などの制御を行うことができる。
しかし、アナログ回線端末装置１０２は省エネルギーなどの観点から端末装置全体が常には起動しておらず、例えばアナログ回線端末装置１０２が有するセンサが異常を感知したときなどに端末装置各部が起動するようになっている。したがって、センタ装置１０１がアナログ回線端末装置１０２へ制御データ等を送信しても、アナログ回線端末装置１０２のデータ受信部が起動していなければ制御データ等が受信されないことがある。
【０００５】
そこで、アナログ回線端末装置１０２は、電話回線網１０３を介してセンタ装置１０１が制御データ等を送信するときに交換機が発信する呼出信号であるＣＩ（Calling Indicator）信号をアナログ回線端末装置１０２が受信すると、端末装置各部が起動する仕組みになっている。
アナログ回線端末装置１０２は、このＣＩ信号を受信すると、センタ装置から呼出があったと判断して、端末装置各部を起動させ、センタ装置１０１からの制御データを受信することができる。
また、このアナログ回線端末装置１０２は、例えば電話回線網１０３の断線などの故障が発生すると、故障復旧後に電話回線網１０３に回線の断線が生じた旨、即ち故障内容を伝えるメッセージをセンタ装置に送信する故障通知機能を備えている（例えば、特許文献１参照）。この故障通知を行うときも、アナログ回線端末装置１０２は端末装置各部を起動させる。
【０００６】
近年、この警報システムにおいて、大容量のデータの送受信が高速に行える光ファイバーなどのデジタル回線であるＩＰ（Internet Protocol）網が普及するに伴って、映像や音声などのデータの送受信を行うために、ＩＰ網を利用してアナログ回線端末装置１０２とセンタ装置１０１との接続が行われるようになってきている。
【０００７】
しかし、従来のアナログ回線端末装置１０２はアナログデータの送受信を行うため、デジタル回線ではデータの送受信が行えず、利用する回線がアナログ回線からデジタル回線に切り換わるに伴って、アナログ回線端末装置１０２とＩＰ網との間にアナログデータをデジタルデータに、デジタルデータをアナログデータに変換するアダプタ装置を接続する必要がある。
【０００８】
図６はＩＰ網を利用した警報システムの概略図である。
図示のように、この警報システムはセンタ装置１０１とアダプタ装置１０４とアナログ回線端末装置１０２とからなり、センタ装置１０１とアダプタ装置１０４がＩＰ網１０５を介して接続されており、アダプタ装置１０４はアナログ回線インターフェイスを介してアナログ回線端末装置１０２と接続している。
【０００９】
この構成において、前述したセンタ装置１０１からアナログ回線端末装置１０２の制御データ等を送信するときは、センタ装置１０１はＩＰ網１０５を介して制御データ等をアダプタ装置１０４へ送信し、アダプタ装置１０４はその制御データ等を受信してアナログデータに変換し、アナログ回線端末装置１０２へ転送する。
アダプタ装置１０４がこの制御データ等をアナログ回線端末装置１０２へ送信するときは、既に説明したようにアナログ回線端末装置１０２は常に制御データ等が受信可能な状態でないため、端末装置全体を起動させ、制御データ等を受信可能な状態にする必要がある。
【００１０】
しかしながら、図６に示すＩＰ網を利用した場合にはアナログ回線における交換機のような、ＣＩ信号を送信する装置がないため、従来のようにＣＩ信号でアナログ回線端末装置１０２を起動させ、制御データの受信が可能な状態にすることができないという問題がある。
この問題を解決するためには、アダプタ装置１０４にＣＩ信号を送信する機能を設ければよいが、この機能を設けるためにはアダプタ装置１０４に専用の回路が必要となり、コストがかかるという別の問題が生じる。
【００１１】
また、アナログ回線端末装置１０２を起動させ、制御データ等を受信可能な状態にするためには、アダプタ装置１０４にアナログ回線端末装置１０２の制御を行う制御出力部を設け、この制御出力でアナログ回線端末装置１０２を起動させ、受信可能な状態に制御する方法も考えられるが、アダプタ装置１０４にアナログ回線端末装置１０２を制御するための制御出力回路を設け、さらにアナログ回線端末装置１０２にもこの制御出力を受け付けるための入力端子を設けなければならないため、同様にコストが掛かる。
【００１２】
一方、アダプタ装置１０４にアナログ回線端末装置１０２を起動させるための機能を設けず、既に説明したように、例えばアナログ回線端末装置１０２が有するセンサが異常を感知したときなど、アナログ回線端末装置１０２が自ら起動したときに合わせて、アダプタ装置１０４が制御データを送信するという方法も考えられる。
しかしながら、この方法ではセンタ装置１０１は任意のタイミングでアナログ回線端末装置１０２を制御することができないという問題がある。
【特許文献１】特開平７−１６２３８０号公報
【発明の開示】
【発明が解決しようとする課題】
【００１３】
本発明は、上記従来の問題を解決するためになされたもので、その目的は、デジタル回線を利用した警報システムにおいて、アナログ回線端末装置が本来備えている故障通知機能を利用することで、アダプタ装置に特別な回路構成を設けることなく、任意のタイミングでアナログ回線端末装置を制御できるようにすることである。
【課題を解決するための手段】
【００１４】
請求項１の発明は、局給電の受電機能を備えたアナログ回線端末装置をデジタル回線を介してセンタ装置に接続するためのアダプタ装置であって、デジタルデータとアナログデータを相互変換する手段と、前記端末装置に対する局給電を行う手段と、前記局給電の断・続制御を行う制御手段と、を有し、前記端末装置への前記局給電の断続制御により当該端末装置を起動させることを特徴とする。
請求項２の発明は、請求項１に記載されたアダプタ装置において、センタ装置から受信したデータを格納するメモリ手段と、前記端末装置の起動通知を受信したとき、当該端末装置に対して前記データを送信することを特徴とする。
請求項３の発明は、請求項１又は２に記載されたアダプタ装置において、前記起動通知は、前記端末装置からの回線復帰通知であり、かつ、前記局給電の再開後所定時間内に前記端末装置からの回線復帰通知を受信しないとき、センタ装置に当該端末装置の起動不能を通知する手段を有することを特徴とする。
【発明の効果】
【００１５】
本発明によれば、デジタル回線を利用した警報システムにおいて、アダプタ装置に特別な回路構成を設けることなく、任意のタイミングでアナログ回線端末装置を制御できるため、コストの増加を抑制し、警報システムの使用性の低下を防止することができる。
【発明を実施するための最良の形態】
【００１６】
以下、本発明の一実施形態に係るアダプタ装置について、添付図面を参照しながら説明する。
図１は本発明の実施形態に係るアダプタ装置の構成を示すブロック図である。
本実施形態に係るアダプタ装置１は、ＩＰ網インターフェイス１０、電源部２０、ＣＰＵ（Central Processing Unit）３０、ＲＡＭ（Random Access Memory）４０、ＲＯＭ（Read Only Memory）５０、局給電部６０、ＭＯＤＥＭ（モデム）７０、アナログ回線インターフェイス８０から構成されている。
【００１７】
ＩＰ網インターフェイス１０は、図６に示した警報システムの構成において、ＩＰ網のネットワーク回線と接続しており、センタ装置からのデータを受信し、アナログ回線端末装置からのデータをセンタ装置に送信するためのインターフェイスであり、ＣＰＵ３０と制御線で接続されている。
電源部２０は、装置各部に電力を供給する電力供給手段である。
【００１８】
ＣＰＵ３０は、ＲＯＭ５０に格納されているプログラムを実行して、装置各部を制御する。例えば、アナログ回線端末装置への局給電を一定時間停止した後、局給電を再開したり、センタ装置から受信したデータをＲＡＭ４０に保存したりする。また、ＣＰＵ３０は前記局給電を一定時間停止するための時間を計時する計時手段でもある。
ＲＡＭ４０は、ＣＰＵ３０が実行するプログラムを一時的に保存したり、センタ装置から受信した制御データなどのデータを保存する。
ＲＯＭ５０は、ＣＰＵ３０が実行するプログラムを格納している。
【００１９】
局給電部６０は、アナログ回線インターフェイス８０を介して接続しているアナログ回線端末装置に局給電を行う。
ＭＯＤＥＭ７０は、センタ装置から送られてくるデジタルデータをアナログデータに変換してアナログ回線端末装置に送り、アナログ回線端末装置から送られてくるアナログデータをデジタルデータに変換してセンタ装置に送る、変復調装置である。
なお、ＣＰＵ３０とＭＯＤＥＭ７０はＴＤ（Transmitted Data：送信）、ＲＤ（Received Data：受信）の二本の通信線で接続している。
アナログ回線インターフェイス８０は、図６に示した警報システムの構成において、アナログ回線を介してアナログ回線端末装置と接続しており、アナログ回線端末装置からのデータを受信し、センタ装置からのデータをアナログ回線端末装置に送信するためのインターフェイスである。
【００２０】
アダプタ装置１がアナログ回線端末装置への局給電を一定時間以上停止させると、アナログ回線端末装置は回線が切断したと判断し、その後局給電が再開されると、既に説明したアナログ回線端末装置の故障通知機能によって、端末装置各部を起動させてセンタ装置に故障を通知する。
本実施形態に係るアダプタ装置１はこの故障通知機能を利用して、アナログ回線端末装置への局給電を一定時間停止させることで端末装置各部を起動させ、制御データを受信可能な状態にし、センタ装置からの制御データを任意のタイミングでアナログ回線端末装置へ送信し、制御を行う。
なお、このアダプタ装置１は、図６に示した警報システムの構成と同一の構成、即ち、ＩＰ網及びアナログ回線端末装置と通信可能に接続し、センタ装置がＩＰ網と通信可能に接続した構成において使用される。
【００２１】
図２は本実施形態に係るアダプタ装置１が任意のタイミングでセンタ装置からの制御データをアナログ回線端末装置へ送信するときの処理フローを示した図である。なお、ＣＰＵ３０がＲＯＭ５０に格納されているプログラムを実行することで装置各部を制御して以下の処理を実行する。
まず、アダプタ装置１はセンタ装置と通信可能に接続し（Ｓ１０１）、センタ装置からアナログ回線端末装置の制御データを受信して、ＲＡＭ４０に格納する（Ｓ１０２）。
アダプタ装置１はアナログ回線端末装置の制御データを受信すると、図１に示した局給電部６０に命令を送り、アナログ回線端末装置への局給電を一定時間停止し（Ｓ１０３，Ｓ１０４）、一定時間経過後（Ｓ１０４，ＹＥＳ）、アナログ回線端末装置への局給電を再開する（Ｓ１０５）。
【００２２】
アダプタ装置１は局給電を再開した後、アナログ回線端末装置の起動を知らせるための起動通知である故障通知の受信を待ち（Ｓ１０６，Ｓ１０９）、故障通知が受信できないときは（Ｓ１０９，ＹＥＳ）、アナログ回線端末装置が起動しなかったと判断し、異常発生としてセンタ装置にアナログ回線端末装置が起動不能である旨の通知を行う（Ｓ１１０）。
一方、一定時間以内に故障通知を受信したときは（Ｓ１０６，ＹＥＳ）、アダプタ装置１はアナログ回線端末装置が起動したと判断し、ＲＡＭ４０に格納していた制御データをアナログ回線端末装置へ送信して（Ｓ１０７）、正常に制御データ送信処理が終了したことをセンタに通知する（Ｓ１０８）。
【００２３】
ステップＳ１０３の処理における局給電を停止する時間、及びステップＳ１０９の処理におけるアナログ回線端末装置からの故障通知を待つ時間は予め一定の時間に設定されており、その時間はセンタ装置からの指示で変更することもできる。
なお、ステップＳ１１０の処理において、アナログ回線端末装置が一定時間以内に起動しなかったと判定される場合は、例えばアナログ回線端末装置の主電源が切れている場合や、アダプタ装置との回線が未接続である場合などである。
【００２４】
次に、図２に示した処理フローをアダプタ装置１が実行するときのアダプタ装置１及び警報システムを構成するセンタ装置とアナログ回線端末装置の動作を説明する。
図３は図２に示した処理フローにおいて正常にアナログ回線端末装置の制御データを送信した場合のアダプタ装置１を有する警報システムの動作シーケンス図である。
まず、センタ装置がアダプタ装置１にアナログ回線端末装置の制御データを送信すると（Ｓ２０１）、アダプタ装置１はアナログ回線端末装置への局給電を停止させる（Ｓ２０２）。アナログ回線端末装置は、局給電が停止したこと、即ち回線が断線したことを検知する（Ｓ２０３）。
【００２５】
アダプタ装置１は局給電を停止してから一定時間後に局給電を再開すると（Ｓ２０４）、アナログ回線端末装置は局給電が再開、即ち回線が復帰したことを検知して（Ｓ２０５）、アダプタ装置１に故障通知（ここでは、回線復帰通知という）を行う（Ｓ２０６）。
アダプタ装置１は、アナログ回線端末装置から回線復帰通知を受信したら、アナログ回線端末装置が起動したと判定し、センタ装置から受信したアナログ回線端末装置の制御データをアナログ回線端末装置に送信する（Ｓ２０７）。
アナログ回線端末装置の制御データの送信が完了したら、正常に制御データの送信が終了した旨をセンタ装置に通知する（Ｓ２０８）。
【００２６】
図４は図２に示した処理フローにおいてアナログ回線端末装置の制御データを送信できない場合のアダプタ装置１を有する警報システムの動作シーケンス図である。
まず、センタ装置がアダプタ装置１にアナログ回線端末装置の制御データを送信すると（Ｓ３０１）、アダプタ装置１はアナログ回線端末装置への局給電を停止し（Ｓ３０２）、一定時間後に局給電を再開する（Ｓ３０３）。
図２のステップＳ１０６及びステップＳ１０７にて説明したように、アダプタ装置１はこのとき、アナログ回線端末装置が起動するのを一定時間待つが、一定時間経過してもアナログ回線端末装置から回線復帰通知が通知されないため、異常が発生した旨、即ちアナログ回線端末装置が起動しなかった旨をセンタ装置に知らせるための起動不能通知を行う（Ｓ３０４）。
【００２７】
以上で説明したように、本実施形態ではアナログ回線端末装置への局給電を一定時間以上停止すると、アナログ回線端末装置は回線が断線したと判断し、故障通知を行うために端末装置各部を起動させる、端末装置のこの故障通知機能を利用することで、アダプタ装置１に特別な回路構成を設けることなく、センタ装置から受信したアナログ回線端末装置を制御するデータを任意のタイミングでアナログ回線端末装置に送信して制御することができる。
また、アナログ回線端末装置が起動しなかったときは起動不能通知をセンタ装置に送信することで、センタ装置のユーザがアナログ回線端末装置に異常が発生していることを知ることができ、制御データの送信失敗を放置することを防止することができる。
【図面の簡単な説明】
【００２８】
【図１】アダプタ装置の構成を示すブロック図である。
【図２】アダプタ装置が任意のタイミングでセンタ装置からの制御データをアナログ回線端末装置へ送信するときの処理フローを示した図である。
【図３】正常に制御データを送信した場合のアダプタ装置を有する警報システムの動作シーケンス図である。
【図４】制御データを送信できない場合のアダプタ装置を有する警報システムの動作シーケンス図である。
【図５】電話回線網を利用した警報システムを示す概略図である。
【図６】ＩＰ網を利用した警報システムの概略図である。
【符号の説明】
【００２９】
１，１０４・・・アダプタ装置、１０・・・ＩＰ網インターフェイス、２０・・・電源部、３０・・・ＣＰＵ、４０・・・ＲＡＭ、５０・・・ＲＯＭ、６０・・・局給電部、７０・・・ＭＯＤＥＭ、８０・・・アナログ回線インターフェイス、１０１・・・センタ装置、１０２・・・アナログ回線端末装置、１０３・・・電話回線網、１０４・・・ＩＰ網。
【図１】
2008252191.tif 000003
【図２】
2008252191.tif 000004
【図３】
2008252191.tif 000005
【図４】
2008252191.tif 000006
【図５】
2008252191.tif 000007
【図６】
2008252191.tif 000008